(57)【要約】【課題】広く身近にある容器で密閉性、保存性、携帯性に優れ容器の入手が容易なペットボトル容器を金属イオン水の造水に利用するとともに、金属イオン水の造水が済んだ後は他の容器に移し替えることなくそのまま保存容器としても利用できるようにする。また金属イオン水の微量金属作用の対象となる細菌などの範囲を広げるために、同一の装置を以って複数の金属イオン水の造水を可能とすることである。【解決手段】Ｕ字型に成型された長短の電極１および２を互いに９０度の角度で配置した電極部を電極と電源との接合部を収納するケース部３に強固に固定してペットボトル容器１０の狭小なネック部への挿入と抜き出しを容易とした。電極の消耗の均等化を図るためと複数の種類のイオン水を得ることを目的とする電極の極性切り替え手段としてケース部３に外部電源用の電源ジャック４，５を設けた。【選択図】           図２
0003103152.tif 000002
【実用新案登録請求の範囲】
【請求項１】
市販のペットボトル口径に挿入と抜き出しができる寸法のＵ字型の長短２本の銅材や銀材などの電極を直交させて配置した電極部と、それらを支持し電極と電源との接合部を収容するケース部よりなる、市販のペットボトル容器を造水容器として利用できることを特徴とする金属イオン水の造水装置。
【請求項２】
電極の双方を銅材もしくは銀材などとして、電極間に印加する直流電圧の極性を切り替えることで電極の消耗を均等化することを特徴とする金属イオン水の造水装置。
【請求項３】
電極の一方を銅材とし他方を銀材として、電極間に印加する直流電圧の極性を切り替えることで銅イオン水と銀イオン水を造水することを特徴とする金属イオン水の造水装置。
【考案の詳細な説明】
【技術分野】
【０００１】
本考案は市販のペットボトル容器を利用できることを特徴とする簡易で安価な金属イオン水の造水装置に関するものである。
【背景技術】
【０００２】
銅イオン水や銀イオン水はその優れた微量金属作用による殺菌効果、殺藻効果が認められており、工業や一般生活面で広く実用に供されている。
現在実用されている金属イオン水の造水装置は工業用途や大型施設用途のもの、又は小型ではあっても
【特許文献１】特開２０００−１５３２７８における携帯用殺菌水生成器のように専用の容器に組み込まれており、またペットボトル容器の利用には適さない電極形状たとえば電極板を使用したものなどであって、身近にある容器で密閉性、保存性、携帯性に優れ容器の入手が容易なペットボトル容器の利用には実用上不十分であった。
【０００３】
しかしペットボトルを金属イオン水の造水装置の実用に供するためには電極をペットボトルの狭小なネック部から挿入・抜き出しを容易に行える形状とするとともに電極の実用的な機械強度と電解能率を考慮した電極配置とする必要がある。電極板を使用した装置ではペットボトルのようなネック部が狭小な容器への電極の挿入・抜き出しと電極の清掃が容易でないという欠点があった。
【０００４】
この改善策として棒状の電極を用いる方法がある。しかしながら、電極棒を使用した装置でも電極の機械的強度の確保と電解能率すなわち異電位電極との対向面積の確保が容易でないという欠点がある。多数の電極棒を使用する方法もあるがペットボトルのネック部のような限られた面積の中に多数の電極を配置することは構造が複雑となりかつ電極部の汚れの清掃も困難となる。また筒状の電極の内側に棒状の電極を配置することは電極部の汚れの清掃が困難となる。
【０００５】
ペットボトルを使用できるイオン生成器ではあっても
【特許文献２】特開２００３−０２４９５６におけるアルカリイオン水の製造方法及び水改質器ではマグネシウムを水と接触させる方法であり、金属電極に電位差を与えて強制的に金属イオン水を造水する手段ではない。
【０００６】
金属電極に電位差を与えて強制的に金属イオン水を造水する手段においては陽極側の電極がイオンとして消耗されてゆくため電極の使用期間は陽極側の電極の消耗できまる。この対策として陰極側と陽極側の双方を同じ材料で作成し電極の極性を切り替えて電極の消耗を均等化する手段が考えられるが、たとえば
【特許文献３】実開平０６−０２１７９５における金属イオン水の製造装置では極性切り替えを電気的反極性の不純物の付着防止を目的としており、電極の消耗を均等化するための手段とはしていない。
【０００７】
また、銅イオン水や銀イオン水はその優れた微量金属作用が認められているが微量金属作用の対象については細菌などの種類などにより異なるといわれている。銅イオン水と銀イオン水を同時に得る方法としては
【特許文献３】特開平０５−２４５４７８における冷却塔の冷却水の処理方法及びその装置のように銅材と銀材の金属電極をともに陽極として別に設けた陰極との間に電圧を印加するものもあるが装置が大掛かりなものとなる。
【考案の開示】
【考案が解決しようとする課題】
【０００８】
身近にある容器で密閉性、保存性、携帯性に優れ容器の入手が容易なペットボトル容器を金属イオン水の造水に利用するとともに、金属イオン水の造水が済んだ後は他の容器に移し替えることなくそのまま保存容器としても使用できるようにすることである。
【０００９】
また、造水装置の陰極側と陽極側の電極の消耗を均等化して造水装置の電極がより長く使用できるようにすることである。
【００１０】
更には、造水されたイオン水の微量金属作用の対象となる細菌などの範囲を広げるために、同一の装置を以って複数の金属イオン水の造水を可能とすることである。
【課題を解決するための手段】
【００１１】
本考案は、電極部をペットボトルのようなネック部の狭小な容器への挿入はもちろん、抜き出し、電極部の汚れの清掃も容易にするとともに、電極部の機械的強度の確保と電解能率にかかわる電極間の対向長さを確保することを特徴とする。
【００１２】
Ｕ字型に成型された電極を用いることにより電極単体の機械強度を確保するとともに２本の電極を互いに９０度をなす角度で配置することにより、片方のＵ字型電極の強度の低い方向に対して他方のＵ字型電極の強度の高い方向の部位が機械的な保護の機能を発揮することとなり、結果としてＵ字型電極２本の組み合わせよりなる造水装置としての電極部をより強固なものとする。
【００１３】
更には、Ｕ字型に成型した電極を互いに９０度をなす角度で配置することにより、それぞれの電極は互いに相手側の電極の平行部と９０度の角度をなして２方向で相対することとなり、結果として電極の対向長さがＵ字型電極を互いに平行配置した場合に比べ約２倍に相当することとなり電解能率が大幅に向上する。
【００１４】
また、電極部はそれらを支持し電極と電源との接合部を収納するケース部に強固に固定されており造水容器であるペットボトル容器から容易に抜き出すことができ、かつ電極そのものが２本のＵ字型電極よりなる簡単な構造であるので電極部の汚れの清掃が容易となる。
【００１５】
ケース部には市販のＡＣアダプターから電源を得るための外部電源用の電源ジャックを２つ設けてあり、電源ジャックの選択でＵ字型電極の間に印加する直流電圧の極性を切り替える。電極の極性の切り替えにより、双方の電極が同じ材料の場合には電極消耗の均等化ができ、また一方が銅材で他方が銀材の場合には銅イオン水と銀イオン水を造水できる。
【考案の効果】
【００１６】
本考案の金属イオン造水装置はペットボトル容器を金属イオン水の造水容器に利用するとともに、造水が済んだ後は他の容器に移し替えることなくそのまま保存容器として使用できるので、必要量に応じた容量のペットボトル容器で金属イオン水を造水し必要量に応じたペットボトル容器の本数で金属イオン水の保存と利用ができるという利点がある。
【００１７】
また、本考案の金属イオン造水装置は電極部とそれらを支持し電極と電源との接合部を収容するケース部より成っており、外部電源およびペットボトル容器とは分離独立しているので構造が簡単で日常の保管と手入れが容易な金属イオン水の造水装置を安価に提供することを可能とする。
【００１８】
ケース部に設けた２つの電源ジャックの選択により電極の間に印加する直流電圧の極性を切り替えて電極の消耗を均等化するので長期間にわたる安定した使用ができるという利点がある。
【００１９】
更には、電極の一方を銅材とし他方を銀材とした場合には直流電圧の極性を切り替えることで銅イオン水と銀イオン水を造水することができるという利点がある。
【考案を実施するための最良の形態】
【００２０】
ペットボトルのようなネック部の狭小な容器への挿入はもちろん、抜き出しも容易な曲げ半径で成型した長短２本のＵ字型電極を互いに９０度をなす角度で配置して、電極と電源との接合部を収納するケース部に強固に固定するとともに、ケース部に外部電源用の電源ジャックを２つ設けて電源ジャックの選択により電極への直流印加電圧の極性を切り替えるようにすることで実現した。
【実施例】
【００２１】
図１は本考案装置の１構造例であって、１，２はそれぞれ長いＵ字型電極、短いＵ字型電極であって、互いに９０度の角度を以って３の電極と電源との接合部を収納するケース部に強固に固定されている。ケース部は硬質塩化ビニル（通称ＰＶＣ）などの絶縁物で製作されており４、５は外部電源用の電源ジャックであって、ケース内で１，２の電極と電線６，７および８，９を介して電極への極性が互いに逆になるように接続されている。
【００２２】
電極１と２がともに銅材の場合には銅イオン水を、電極１と２がともに銀材の場合には銀イオン水を造水するもので、電極１と２の一方が銅材で他方が銀材の場合には銅材を陽極として銅イオン水を、また銀材を陽極として銀イオン水を造水する。
【００２３】
Ｕ字型の単体の電極は直径２ｍｍから６ｍｍ程度の素材を用いており、電極の先端がＵ字型に繋がっているためペットボトル容器への挿入が容易であり、かつ同一素材の棒材（または線材）を単体で使用の場合に比べて機械的強度に優れている。特にＵ字型の断面に直角方向の強度に優れるという利点を有している。また、Ｕ字型の電極の長さＬはペットボトル容器の大きさにより選定するが、１０ｃｍから３０ｃｍ程度の長さのものが使いやすい。
【００２４】
更に、Ｕ字型の２本の電極を互いに９０度をなす角度で配置することにより、片方のＵ字型電極の強度の低い方向に対して他方のＵ字型電極の強度の高い方向の部位が機械的な保護の機能を発揮することとなり、結果としてＵ字型電極２本の組み合わせよりなる造水装置としての電極部をより強固なものとする。
【００２５】
また、Ｕ字型に成型した電極を互いに９０度をなす角度で配置することにより、それぞれの電極は互いに相手側の電極の平行部と９０度の角度をなして２方向で相対することとなり、結果として電極の対向長さがＵ字型電極を互いに平行配置した場合に比べ約２倍に相当することとなり電解能率が大幅に向上する。
【００２６】
図２は本考案装置の１実施例であって、１〜５は、図１と同様である。また、１０は市販飲料などの入っていたペットボトル、１１は本考案装置の電源たる市販の汎用ＡＣアダプター、１２はペットボトル容器中の水位である。
【００２７】
因みに、直径約４．１ｍｍの銅材を素材とした電極の長さ約１８ｃｍの本考案装置で２．７リッター容量のペットボトル容器に満たした水道水を使用して銅イオン水を造水したところ、電極への直流印加電圧が１３ボルトで３５ミリアンペア程度の電流が流れて、約５分後には目視で明らかに確認できる銅イオン独特の緑青色を呈した銅イオン水が得られた。
【産業上の利用可能性】
【００２８】
銅イオン水や銀イオン水はその優れた微量金属作用による殺菌効果、殺藻効果が認められており、工業や一般生活面で広く実用に供されている。本案装置を使用して、家庭において使用済みのペットボトル容器を利用して銅イオン水や銀イオン水などの金属イオン水を造水することで、家庭での衣料繊維類の抗菌・坑ウイルス処理、防カビ・雑菌防除、浴用温泉水、また園芸用途のナメクジ防除など、金属イオン水の微量効果による殺菌効果、坑ウイルス効果を小規模な目的で広い範囲に活用することができる。
【図面の簡単な説明】
【００２９】
【図１】ペットボトル容器を利用する金属イオン水の造水装置の構造例を示した図面である。
【図２】ペットボトル容器を利用する金属イオン水の造水装置の実施例を示した図面である。
【符号の説明】
【００３０】
１  Ｕ字型電極のうち長いほうの電極
２  Ｕ字型電極のうち短いほうの電極
３  電極を固定し電源との接合部を収納するケース
４  外部電源用の電源ジャック
５  外部電源用の電源ジャック
６  電極と電源ジャックを接続する電線
７  電極と電源ジャックを接続する電線
８  電極と電源ジャックを接続する電線
９  電極と電源ジャックを接続する電線
１０  市販飲料などの入っていたペットボトル容器
１１  市販の汎用ＡＣアダプター
Ｌ  Ｕ字型の電極のうち長いほうの電極の長さ
【図１】
0003103152.tif 000003
【図２】
0003103152.tif 000004
【手続補正書】
【提出日】平成16年2月20日(2004.2.20)
【手続補正１】
【補正対象書類名】実用新案登録請求の範囲
【補正対象項目名】請求項２
【補正方法】変更
【補正の内容】
【請求項２】
電極の双方を銅材もしくは銀材などとして、電極間に印加する直流電圧の極性を切り替えることで電極の消耗を均等化することを特徴とする請求項１記載の金属イオン水の造水装置。
【手続補正２】
【補正対象書類名】実用新案登録請求の範囲
【補正対象項目名】請求項３
【補正方法】変更
【補正の内容】
【請求項３】
電極の一方を銅材とし他方を銀材として、電極間に印加する直流電圧の極性を切り替えることで銅イオン水と銀イオン水を造水することを特徴とする請求項１記載の金属イオン水の造水装置。